(57)【要約】【課題】ゴルフクラブヘッドを出し入れするための出し入れ空間が伸縮できるように内部空間が変化するクラブカバーを提供する。【解決手段】本発明は、内部空間が変化するクラブカバーであって、上部にクラブヘッドの収納されるヘッド収納空間が形成され、中間から下部まではクラブヘッドの出入りする胴体部が形成され、前記胴体部の内部には、クラブヘッドが容易に通過するように収縮または拡張される出し入れ空間部が形成され、前記胴体部の両側には、前記胴体部の出し入れ空間部の中央に向かって内方に１つ以上の折曲線がある蛇腹折曲部が形成されたことを特徴とする。【選択図】図２
2020127718.tif 000002
【特許請求の範囲】
【請求項１】
内部空間が変化するクラブカバーであって、
前記内部空間が変化するクラブカバーは、上部にクラブヘッドの収納されるヘッド収納空間が形成され、中間から下部まではクラブヘッドの出入りする胴体部が形成され、前記胴体部の内部には、クラブヘッドが容易に通過するように収縮または拡張される出し入れ空間部が形成され、
前記胴体部の両側には、前記胴体部と前記出し入れ空間部の中央に向かって内方に１つ以上の折曲線がある蛇腹折曲部が形成されたことを特徴とする、内部空間が変化するクラブカバー。
【請求項２】
前記各蛇腹折曲部の縁部には、前記蛇腹折曲部の折曲線が収縮された状態で維持されるように磁石が付着していることを特徴とする、請求項１に記載の内部空間が変化するクラブカバー。
【請求項３】
前記蛇腹折曲部の折曲線の数は１つ、２つ及び３つから選択されることを特徴とする、請求項１または２に記載の内部空間が変化するクラブカバー。
【請求項４】
前記胴体部の中間の一定位置の前面及び後面に、前記前面及び後面の形状を維持させ且つ前記前面及び後面の同じ水平面上に配置される磁石間の吸着を防止するハンドルが設置されたことを特徴とする、請求項２に記載の内部空間が変化するクラブカバー。
【請求項５】
前記各蛇腹折曲部の縁部には、前記磁石を使用する代わりに、着脱可能なマジックテープが使用されることを特徴とする、請求項２に記載の内部空間が変化するクラブカバー。
【発明の詳細な説明】
【技術分野】
【０００１】
本発明は、ゴルフクラブヘッド（以下、「クラブヘッド」という）を出し入れするための出し入れ空間が伸縮できるように内部空間が変化するクラブカバーに係り、より具体的には、クラブヘッドを保護するためにクラブカバーの内部にクラブヘッドが挿入されている場合には、胴体部の側面に形成された蛇腹折曲部によって胴体部の出し入れ空間部が収縮されている状態でクラブヘッドが入っており、クラブヘッドを取り出そうとする場合には、胴体部の蛇腹折曲部を拡張させて伸ばすことにより、出し入れ空間部が拡大されて容易にクラブヘッドが引き出されて簡単にクラブヘッドの取出し及び収納が可能であり、片手でも便利に使用し、クラブヘッドを損傷することなく安全に保管することができ、製造コストが低くてなって消費者が便利に且つ負担なく使用することができるうえ、複数のクラブカバーが使用される場合にはクラブカバーの下端の出し入れ空間部を縮小させてクラブカバー相互間の干渉を最小限に抑える、クラブヘッドの出し入れ空間が伸縮できるように内部空間が変化するクラブカバーに関する。
【背景技術】
【０００２】
一般に、ゴルフクラブの中でも「ドライバクラブ」として使用されるクラブの大きさは、従来では３００ｃｃ程度の空間を有するサイズであったが、ゴルフクラブのサイズが次第に大きくなり、最近では５００ｃｃ程度の空間を有するサイズに大型化してきている。しかし、ゴルフクラブの表面を保護するために使用されるクラブカバーは、伸縮性の良いニット製品などの素材を使用する場合には３５０ｃｃ程度のサイズまでは使用が可能であったが、クラブの空間が５００ｃｃまで大型化されつつある現在では使用できないため、ニット製品などのクラブカバーは使用されていない。
【０００３】
したがって、現在では、一般織物または合成樹脂皮革で縫製されてクラブヘッドに被せられるクラブカバーが主に使われている。
【０００４】
このような従来のクラブカバーは、図１に示すように、ゴルフクラブの大きいヘッドを出し入れするためには、ヘッドを十分に出し入れすることができるように、下部に配置されるヘッド出し入れ空間部の大きさがかなり大きいべきなので、このように大きく形成された出し入れ空間部が弛んでしまうから、クラブカバーが被せられた複数のゴルフクラブがゴルフバッグ内に収納される場合、このように弛んでしまったクラブカバーの出し入れ空間部同士に干渉が発生して使用上大変不便になるという問題点があった。出し入れ空間部の上端にクラブヘッドが抜けないようにゴム紐が設けられているが、このようなゴム紐によってクラブヘッドのヘッド収納空間への通過が難しくて時間がかかる不便を経験することが頻繁に発生していた。また、ゴルフクラブがゴルフバッグに収容されて移動するとき、前記ゴルフクラブは、キャディーバッグ内で互いに衝突して互いに損傷を被らせることが発生するか、或いはキャディーバッグ内で互いに重ねて積載したクラブヘッド同士が衝突してゴルフクラブのヘッドが損傷してしまうことが頻繁に発生するという問題点があった。
【先行技術文献】
【特許文献】
【０００５】
【特許文献１】韓国実用新案登録第２０−０１６２８４９号明細書
【発明の概要】
【発明が解決しようとする課題】
【０００６】
本発明の目的は、かかる問題点を解決するためのもので、その目的は、クラブヘッドを保護するためにクラブヘッドにクラブカバーを被せるときや、ゴルフクラブを使用するためにクラブカバーをクラブヘッドから取り外すときなどのクラブカバーの使用時により便利に使用できる、製造コストの低い優れた製品を供給することができるうえ、片手でも作動が可能であってより便利に使用し、クラブカバー同士の干渉を最小限に抑える、クラブヘッドの出し入れ空間が伸縮できるように内部空間が変化するクラブカバーを提供することにある。
【０００７】
本発明の他の目的は、クラブカバーの胴体部の側面に形成された蛇腹折曲部の拡張または収縮が拡張される方向に力を加えると、収縮された蛇腹折曲部が拡張されて出し入れ空間部が拡大されてクラブヘッドが挿入できるように拡張展開され、再び収縮される方向に力を加えると、出し入れ空間部が容易に収縮されて便利に使用することができる、クラブヘッドの出し入れ空間が伸縮できるように内部空間が変化するクラブカバーを提供することにある。
【課題を解決するための手段】
【０００８】
上記の目的は、上部にクラブヘッドの収納されるヘッド収納空間が形成され、中間から下部まではクラブヘッドの出入りする胴体部が形成され、前記胴体部の内側には、クラブヘッドが容易に通過するように広く構成された出し入れ空間部が形成され、前記胴体部の側面には、胴体部の中央に向かって内方に１つ以上が折り曲げられた蛇腹折曲部が形成された、クラブヘッドの出し入れ空間が伸縮できるように内部空間が変化するクラブカバーによって達成される。
【発明の効果】
【０００９】
本発明に係るクラブヘッドの出し入れ空間が伸縮できるように内部空間が変化するクラブカバーは、蛇腹折曲部の縁部の互いに対向する位置に磁石が設置され、これらの磁石が互いに吸着及び分離作動しながら胴体部の出し入れ空間部の広さが収縮または拡張されてクラブヘッドのヘッド収納空間への通過が容易に行われるので、使用上には性能が非常に優れるうえ、簡単な構造や所期の目的のための実行作動が便利であり、製造工程も簡単であって安価に生産可能ので、消費者に多くの利益を与えることができるという優れた効果がある。
【図面の簡単な説明】
【００１０】
【図１】従来のクラブカバーの斜視図である。
【図２】本発明の第１実施形態に係るクラブカバーの斜視図である。
【図３】本発明の第１実施形態に係るクラブカバーが拡張されて展開された状態の斜視図である。
【図４ａ】図２のＩ−Ｉ線に沿った概略断面図である。
【図４ｂ】図２のＩＩ−ＩＩ線に沿った概略断面図である。
【図５ａ】本発明の第２実施形態に係るクラブカバーの斜視図である。
【図５ｂ】図５ａのＩＩＩ−ＩＩＩ線に沿った概略平断面図、及び収縮時の部分拡大された平断面図である。
【図６】本発明の第３実施形態に係るクラブカバーの斜視図、及び出し入れ空間部の上方からみた概略底面図である。
【発明を実施するための形態】
【００１１】
本発明の第１実施形態に係るクラブヘッドの出し入れ空間が伸縮できるように内部空間が変化するクラブカバーＡは、図２乃至図４ｂに示すように、裏地１ａと表地１ｂからなり且つクラブヘッドＨが収納されるヘッド収納空間１１が上部に形成され、中間から下部まではクラブヘッドが出入りする胴体部１２が形成され、前記胴体部１２の内側には、クラブヘッドが容易に挿入されるように広く構成されて収縮及び拡張される出し入れ空間部１３が形成され、前記胴体部１２の側面には、前記胴体部１２の中央に向かって内方に１つ以上が折り曲げられた蛇腹折曲部１４が形成されている。
【００１２】
本実施形態において、前記胴体部１２は、前面１２ａ、後面１２ｂ、及び前記前面１２ａと後面１２ｂとの間の側面に蛇腹折曲部１４が配置される構造である。
【００１３】
本実施形態において、前記蛇腹折曲部１４は、胴体部１２と出し入れ空間部１３の両側に一対の蛇腹折曲部１４が形成されており、各蛇腹折曲部１４には１つの折曲線１４ａが形成されているが、これらに限定されるものではなく、胴体部１２と出し入れ空間部１３の一側にのみ蛇腹折曲部１４が形成されてもよく、各蛇腹折曲部１４に１つ以上の折曲線１４ａが形成されてもよい。
【００１４】
本実施形態において、前記蛇腹折曲部１４は、クラブヘッドＨの収納時には、蛇腹折曲部１４の折曲線１４ａが展開されながら胴体部１２と出し入れ空間部１３の出入り口の幅ｈが収縮時の幅ｈ１から拡張時の幅ｈ２へと広く或いは高くなることにより、クラブヘッドＨが十分に挿入されてヘッド収納空間１１に収納される。このようにクラブヘッドＨが収納された状態では、蛇腹折曲部１４の展開されていた折曲線１４ａが再び元の位置に収縮されながら胴体部１２の幅ｈが収縮時の幅ｈ１に減少することにより、他のゴルフクラブとの干渉がなくなるので、便利にゴルフクラブのヘッドを収納することができる。
【００１５】
図５ａは本発明に係るクラブカバーの第２実施形態に係る斜視図、図５ｂは図５ａのＩＩＩ−ＩＩＩ線に沿った概略平断面図、及び収縮時の状態が拡大された部分拡大平断面図である。
【００１６】
図示の如く、前記クラブカバー本体１の中間の胴体部１２には、前記胴体部１２の中央に向かって内方に少なくとも１つが折り曲げられた蛇腹折曲部１４が形成され、前記蛇腹折曲部１４の両側の縁部には、前記蛇腹折曲部１４の折曲線１４ａを収縮させる磁石Ｍが付着しており、前記磁石Ｍの裏面には、前記蛇腹折曲部１４の折曲線１４ａを包み込む、横方向に延長固定された帯状ゴム板材１６が設置されている構造なので、クラブヘッドＨの保管時には、前記蛇腹折曲部１４が収縮され、収縮された蛇腹折曲部１４が収縮状態で磁石Ｍによって結合固定され、このように収縮された状態の蛇腹折曲部１４の折曲線１４ａは、その他の既存のクラブカバーのクラブヘッドを固定するゴム紐よりも一層効果的にクラブヘッドを保管及び維持する役割を果たす。クラブカバー本体１の使用のための展開時には、磁石Ｍの結合を分離させると、帯状ゴム板材１６が展開されながらクラブカバー本体１の蛇腹折曲部１４が完全に広げられる。
【００１７】
図５ｂに示すように、前記クラブカバー本体１の中間の胴体部１２の前面には、磁石間の吸入力による吸着で形状の変化を防止し、ユーザーが楽に掴むことができるように中間にハンドル１７が設置されており、容易にクラブカバーＡを把持することができ、後面にも、胴体部１２の磁石Ｍの結合引力による変形を防止するためにハンドル１７が設けられている。前記ハンドル１７は、胴体部１２の中間の一定位置の前面及び後面に設けられ、前記前面及び後面の形状を維持させながら前記前面及び後面の同じ水平面上に配置される磁石Ｍ間の吸着を防止する機能を行う。
【００１８】
このように、クラブヘッドＨをヘッド収納スペース１１に収納しようとする場合には、前記クラブカバー本体１の中間の胴体部１２のハンドル１７を掴んで蛇腹折曲部１４の折曲線１４ａに力を加えると、蛇腹折曲部１４の縁部に配置された一対の磁石Ｍに分離される力が加えられることにより前記磁石Ｍを分離させ、前記磁石Ｍの分離と同時に、折り畳まれていた帯状ゴム板材１６の展開力によって、折り畳まれた状態から広げられる状態へと展開が行われるので、収縮された状態の折曲線１４ａが広げられるように展開されて胴体部１２と出し入れ空間部１３の空間の大きさ（幅ｈ２）が拡大される。このように拡大された空間によって、クラブヘッドＨが収納可能になる空間が確保されるのである。
【００１９】
このような状態でクラブヘッドＨが、拡大された胴体部１２と出し入れ空間部１３を介して、クラブカバー本体１のヘッド収納空間１１内に収納されると、互いに分離されていた磁石Ｍが互いに付着するように力を除去すると、分離された磁石Ｍが互いに付着しながら、拡張された蛇腹折曲部１４の折曲線１４ａも原位置の折り曲げられた位置に復帰することにより、胴体部１２の幅ｈが収縮時の幅ｈ１に減少して他のクラブカバーとの干渉がなくなるので、便利にゴルフクラブを収納することができる。
【００２０】
図６には本発明の第３実施形態によるクラブカバーの斜視図、及び出し入れ空間部の上方からみた概略底面図が示されている。本発明の第３実施形態のクラブカバーＡは、クラブヘッドが出入りする胴体部１２上に蛇腹折曲部１４が形成され、蛇腹折曲部１４の両側縁の内側に磁石Ｍが付着して磁石Ｍの着脱によってゴルフクラブの出し入れ空間部１３が広く或いは狭くなる構造が提案された。前記各蛇腹折曲部１４は、折曲線１４ａが３つ形成されており、拡張時の出し入れ空間部１３の拡張される幅ｈがより広く形成された構造が提案されている。前記蛇腹折曲部１４は、複数の折曲線１４ａが形成されているので、より迅速に幅が増減する可能性があり、少ない力でも容易に作動する。
【００２１】
前記実施形態では、蛇腹折曲部１４が設置されたと記載されたが、蛇腹折曲部１４を使用せずに、蛇腹折曲部１４が切り取られた簡単な構造を使用することも可能である。また、図示されてはいないが、磁石Ｍを使用せず、着脱可能なマジックテープなどの脱着自在な他のものに置き換えることも可能である。
【産業上の利用可能性】
【００２２】
本発明に係るクラブヘッドの出し入れ空間が伸縮できるように内部空間が変化するクラブカバーは、一般なクラブカバーの製造産業で同種の製品を製造することが可能であるので、産業上の利用可能性がある発明である。
【符号の説明】
【００２３】
１１    ヘッド収納空間
１２    胴体部
１３    出し入れ空間部
１４    蛇腹折曲部
１４ａ    折曲線
１７    ハンドル
Ａ    クラブカバー
Ｍ    磁石
【図１】
2020127718.tif 000003
【図２】
2020127718.tif 000004
【図３】
2020127718.tif 000005
【図４ａ】
2020127718.tif 000006
【図４ｂ】
2020127718.tif 000007
【図５ａ】
2020127718.tif 000008
【図５ｂ】
2020127718.tif 000009
【図６】
2020127718.tif 000010